(57)【要約】【解決手段】上下両腕部２４，２５を有する指掛部２３は、柔軟な材料により刃体５の支持部２２よりも撓み易い形態に成形されているので、開閉中心部２の回動中心線２ａに沿った方向やその回動中心線２ａに対し直交する方向に撓み易くなる。特に、その回動中心線２ａに沿った方向の両側向きのうち、上側の腕部２４が一方の向き側へ撓むとともに、下側の腕部２５が他方の向き側へ撓んで、両腕部２４，２５が指の捻り動作にも追従して変形し易くなる。また、指を挿入した指掛部２３が撓み易くなっても、指掛部２３よりも撓みにくい支持部２２により指を支えるので、両刀身３，４の開閉動作が安定する。【効果】ハンドル１１の指掛部２３に指を掛けて使用した際に使い勝手を良くすることができる。【選択図】図２
2012085961.tif 000002
【特許請求の範囲】
【請求項１】
互いに開閉可能に支持した一対の刀身を備えた鋏において、その両刀身の刃体に取着したハンドルのうち、少なくとも一方の刀身のハンドルは、刃体に設けた支持部に取着した指掛部を有し、その指掛部は、刃体の支持部で互いに離間した両側部を結ぶ延設方向において互いに離間する向きへ延びる両腕部を備え、この指掛部の両腕部を刃体の支持部よりも撓み易くしたことを特徴とする鋏。
【請求項２】
互いに開閉可能に支持した一対の刀身を備えた鋏において、その両刀身の刃体に取着したハンドルのうち、少なくとも一方の刀身のハンドルは、刃体に設けた支持部に取着した指掛部を有し、その指掛部は、刃体の支持部で互いに離間した両側部を結ぶ延設方向の両側のうち一方の側と他方の側とへそれぞれ刃体の支持部から延びてその延設方向において互いに離間する両腕部を有し、この指掛部の両腕部を刃体の支持部よりも撓み易くしたことを特徴とする鋏。
【請求項３】
前記刃体の支持部の両側部から前記指掛部の両腕部の付根部が延び、この両腕部間で刃体の支持部の延設方向に沿う最大間隔をその支持部の両側部間の延設方向間隔より大きくしたことを特徴とする請求項１または請求項２に記載の鋏。
【請求項４】
両刀身を互いに回動可能に支持する開閉中心部における回動中心線に沿った方向の両側のうち、一方の側へ一方の腕部が撓み得るとともに、他方の側へ他方の腕部が撓み得ることを特徴とする請求項１または請求項２または請求項３に記載の鋏。
【請求項５】
開閉中心部で互いに回動可能に支持した一対の刀身を備えた鋏において、その両刀身の刃体に取着したハンドルのうち、少なくとも一方の刀身のハンドルは、刃体に設けた支持部に取着した指掛部を有し、その指掛部は、刃体の支持部から延びて互いに離間する両腕部を有し、両刀身の開閉中心部における回動中心線に沿った方向の両側のうち、一方の側へ一方の腕部が撓み得るとともに、他方の側へ他方の腕部が撓み得ることを特徴とする鋏。
【発明の詳細な説明】
【技術分野】
【０００１】
本発明は、互いに開閉可能に支持した一対の刀身の刃体に取着したハンドルを有する鋏において、そのハンドルに設けた指掛部の改良に関するものである。
【背景技術】
【０００２】
従来の鋏においては、例えば下記特許文献１に示すように、一対の刀身の刃部の基端側に取着した取付部に支持部を設け、この支持部に取着した指掛部のうち両腕部がこの支持部の両側部から延びている。
【先行技術文献】
【特許文献】
【０００３】
【特許文献１】特開２００５−６６２０６号公報
【発明の概要】
【発明が解決しようとする課題】
【０００４】
従来の鋏においては、指掛部に指を掛けて使用した際に、支持部の両側部に設けられた両腕部が指の動作に追従して幾らか変形するものの、使い勝手を良くするための改善の余地があった。
【０００５】
この発明は、鋏においてハンドルの指掛部に指を掛けて使用した際に使い勝手をさらに良くすることを目的としている。
【課題を解決するための手段】
【０００６】
後記実施形態の図面（図１〜４）の符号を援用して本発明を説明する。
請求項１の発明にかかる鋏は、互いに開閉可能に支持した一対の刀身３，４を備え、下記のように構成されている。
【０００７】
その両刀身３，４の刃体５，６に取着したハンドル１１，１２のうち、少なくとも一方の刀身３のハンドル１１は、刃体５に設けた支持部２２に取着した指掛部２３を有している。その指掛部２３は、刃体５の支持部２２で互いに離間した両側部を結ぶ延設方向Ｘにおいて互いに離間する向きへ延びる両腕部２４，２５を備えている。この指掛部２３の両腕部２４，２５を刃体５の支持部２２よりも撓み易くした。
【０００８】
請求項１の発明では、指掛部２３に指を掛けて使用した際に両腕部２４，２５が指の動作に追従して変形し易くなるので、使い勝手を良くすることができる。
請求項２の発明にかかる鋏は、互いに開閉可能に支持した一対の刀身３，４を備え、下記のように構成されている。
【０００９】
その両刀身３，４の刃体５，６に取着したハンドル１１，１２のうち、少なくとも一方の刀身３のハンドル１１は、刃体５に設けた支持部２２に取着した指掛部２３を有している。その指掛部２３は、刃体５の支持部２２で互いに離間した両側部を結ぶ延設方向Ｘの両側のうち一方の側と他方の側とへそれぞれ刃体５の支持部２２から延びてその延設方向Ｘにおいて互いに離間する両腕部２４，２５を有している。この指掛部２３の両腕部２４，２５を刃体５の支持部２２よりも撓み易くした。
【００１０】
請求項２の発明では、指掛部２３に指を掛けて使用した際に両腕部２４，２５が指の動作に追従して変形し易くなるので、使い勝手を良くすることができる。
請求項１または請求項２の発明を前提とする請求項３の発明において、前記刃体５の支持部２２の両側部から前記指掛部２３の両腕部２４，２５の付根部２４ａ，２５ａが延び、この両腕部２４，２５間で刃体５の支持部２２の延設方向Ｘに沿う最大間隔Ｌ２３をその支持部２２の両側部間の延設方向間隔Ｌ２２より大きくした。請求項３の発明では、両腕部２４，２５が指の動作に追従して変形し易くなる。
【００１１】
請求項１または請求項２または請求項３の発明を前提とする請求項４の発明において、両刀身３，４を互いに回動可能に支持する開閉中心部２における回動中心線２ａに沿った方向の両側のうち、一方の側へ一方の腕部２４が撓み得るとともに、他方の側へ他方の腕部２５が撓み得る。請求項４の発明では、両腕部２４，２５が指の捻り動作にも追従して変形し易くなる。
【００１２】
請求項５の発明にかかる鋏は、開閉中心部２で互いに回動可能に支持した一対の刀身３，４を備え、下記のように構成されている。
その両刀身３，４の刃体５，６に取着したハンドル１１，１２のうち、少なくとも一方の刀身３のハンドル１１は、刃体５に設けた支持部２２に取着した指掛部２３を有している。その指掛部２３は、刃体５の支持部２２から延びて互いに離間する両腕部２４，２５を有している。両刀身３，４の開閉中心部２における回動中心線２ａに沿った方向の両側のうち、一方の側へ一方の腕部２４が撓み得るとともに、他方の側へ他方の腕部２５が撓み得る。
【００１３】
請求項５の発明では、指掛部２３に指を掛けて使用した際に両腕部２４，２５が指の捻り動作に追従して変形し易くなるので、使い勝手を良くすることができる。
次に、請求項以外の技術的思想について実施形態の図面の符号を援用して説明する。
【００１４】
請求項１から請求項５のうちいずれか一つの請求項の発明を前提とする第６の発明において、前記両腕部２４，２５は刃体５の支持部２２で互いに離間した両側部を結ぶ延設方向Ｘにおいて互いに離間する向きへ膨らむ湾曲部２６，２７を有している。第６の発明では、両腕部２４，２５を把持し易い。
【００１５】
請求項５の発明または第６の発明を前提とする第７の発明において、前記両腕部２４，２５のうち一方の腕部２４、例えば開閉中心部２に対し近い側に配設された腕部２４よりも、他方の腕部２５、例えば開閉中心部２に対し遠い側に配設された腕部２５は、使用時に撓みによる変位が大きくなる。第７の発明では、両腕部２４，２５が指の動作に追従して変形し易くなる。
【００１６】
請求項３の発明を前提とする第８の発明において、両腕部２４，２５の付根部２４ａ，２５ａのうち一方の付根部２４ａにくい込む突部１６を支持部２２に設けて、突部１６を有しない腕部２５、例えば開閉中心部２に対し遠い側に配設された腕部２５は、突部１６を有する腕部２４、例えば開閉中心部２に対し近い側に配設された腕部２４よりも、使用時に撓みによる変位が大きくなる。第８の発明では、両腕部２４，２５が指の動作に追従して変形し易くなる。
【００１７】
請求項５の発明を前提とする第９の発明において、前記指掛部２３の両腕部２４，２５は、両刀身３，４の開閉中心部２における回動中心線２ａに対し直交する方向を含む面に沿って撓み得る。第９の発明では、両腕部２４，２５が指の動作に追従して変形し易くなる。
【００１８】
請求項１から請求項５のうちいずれか一つの請求項の発明、または第６〜９の発明のうちいずれか一つの発明を前提とする第１０の発明において、前記指掛部２３は、刃体５の支持部２２から延びる両腕部２４，２５が互いに連続して、支持部２２と両腕部２４，２５とにより環状に設けられている。第１０の発明では、両腕部２４，２５を把持し易い。
【００１９】
請求項１から請求項５のうちいずれか一つの請求項の発明、または第６〜１０の発明のうちいずれか一つの発明を前提とする第１１の発明において、前記刃体５は、刃先７ａを有する刃部７と、この刃部７の基端側に取着した取付部９とを有し、前記刃体５の支持部２２はこの取付部９の一部に設けた連結部１４を含む。第１１の発明では、取付部９の連結部１４を利用して支持部２２を設けることができる。
【００２０】
第１１の発明を前提とする第１２の発明において、前記刃体５の支持部２２は前記連結部１４の外側に被覆した表部２１を含む。第１２の発明では、連結部１４を表部２１で被覆して支持部２２を設けることができる。
【００２１】
第１２の発明を前提とする第１３の発明において、前記支持部２２の表部２１と前記指掛部２３の両腕部２４，２５とは一体成形されている。第１３の発明では、支持部２２の表部２１及び指掛部２３の両腕部２４，２５を容易に成形することができる。
【００２２】
第１３の発明を前提とする第１４の発明において、前記指掛部２３の両腕部２４，２５と前記支持部２２の表部２１とは同一材料により成形され、前記連結部１４を含んだ取付部９は前記両腕部２３及び表部２１より硬質の同一材料により成形されている。第１４の発明では、取付部９及び支持部２２の連結部１４によりハンドル１１の強度を維持するとともに、指掛部２３の両腕部２４，２５及び支持部２２の表部２１によりハンドル１１の感触を良くすることができる。
【００２３】
第１１〜１４の発明のうちいずれか一つの発明を前提とする第１５の発明において、前記刃体５の取付部９は、両腕部２４，２５のうち少なくとも一方の腕部２４に対し間隔をあけて面する壁面１５を有し、この壁面１５と腕部２４との間に撓み許容間隙２８を設けた。第１５の発明では、撓み許容間隙２８により腕部２４の変形可能範囲を広めることができる。
【発明の効果】
【００２４】
本発明は、鋏においてハンドル１１の指掛部２３に指を掛けて使用した際に使い勝手を良くすることができる。
【図面の簡単な説明】
【００２５】
【図１】（ａ）は本実施形態にかかる文具鋏の表側を示す斜視図であり、（ｂ）は同じく裏側を示す斜視図である。
【図２】（ａ）は本実施形態にかかる文具鋏の表側を示す正面図であり、（ｂ）は同じく裏側を示す背面図である。
【図３】（ａ）は図２（ａ）のハンドルを示す部分拡大正面図であり、（ｂ）は（ａ）の右側面図であり、（ｃ）は（ａ）の左側面図であり、（ｄ）は（ａ）の底面図である。
【図４】（ａ）は図３（ａ）のハンドルから軟質樹脂部分を取り除いて示す部分拡大正面図であり、（ｂ）（ｃ）はそれぞれ（ａ）の斜視図である。
【発明を実施するための形態】
【００２６】
以下、本発明の一実施形態にかかる文具鋏について図面を参照して説明する。
図１に示す文具鋏において、図２に示す鋏本体１は、開閉中心部２で回動中心線２ａを中心に互いに回動可能に支持された一対の刀身３，４を備えている。両刀身３，４において刃体５，６は、開閉中心部２よりも先端側で刃先７ａ，８ａを有するとともに開閉中心部２よりも基端側で延設部７ｂ，８ｂを有する刃部７，８と、図４に示すように刃部７，８の延設部７ｂ，８ｂに取着された取付部９，１０とからなる。両刀身３，４においてハンドル１１，１２は、刃体５，６の取付部９，１０に取着されている。
【００２７】
一方の刀身３において刃体５の取付部９は、図４に示すように、刃部７の延設部７ｂに沿って延び、開閉中心部２に対し近い上側に配設された露出部１３と、開閉中心部２に対し遠い下側に配設された連結部１４とからなる。露出部１３と連結部１４とは互いに一体成形されて延設部７ｂに取着され、露出部１３と連結部１４との境界部外周で段差部１４ａが形成されているとともに、露出部１３の外側面部には段差部１４ａから連続する凹状の壁面１５が形成されている。段差部１４ａの付近で連結部１４の上端部には突条部１６が壁面１５に面して形成されている。刃部７の延設部７ｂの下端部は連結部１４の下端部から突出している。また、他方の刀身４において刃体６の取付部１０は、図４に示すように、刃部８の延設部８ｂに沿って延び、開閉中心部２に対し近い上側に配設された露出部１７と、開閉中心部２に対し遠い下側に配設された連結部１８とからなる。露出部１７と連結部１８とは互いに一体成形されて延設部８ｂに取着され、取付部１０には環部１９がハンドル１２の一部として一体成形されている。取付部９の露出部１３と取付部１０の露出部１７とには両刀身３，４を互いに閉じた際に当接し得る当接部１３ａ，１７ａが形成されている。ちなみに、取付部９の露出部１３及び連結部１４と取付部１０の露出部１７及び連結部１８と環部１９とは、それぞれ、同一の硬質樹脂、例えばポリプロピレン樹脂やＡＢＳ樹脂などにより成形されている。
【００２８】
一方の刀身３において取付部９の連結部１４には、図２，３に示すように、取付部９より硬度の小さい軟質樹脂、例えば、エラストマ樹脂やシリコーン樹脂などにより成形された環状の把持部２０がハンドル１１として取着されている。その軟質樹脂の硬度としてはショアＡ２０〜ショアＤ５０が好ましい。把持部２０は、連結部１４の外側に被覆された表部２１と、連結部１４と表部２１とからなる支持部２２の上下両端部で表部２１に一体成形された指掛部２３とからなる。指掛部２３は、刃体５の支持部２２で互いに離間した上端部（上側部）と下端部（下側部）を結ぶ延設方向Ｘの上下両側のうち上側と下側とへそれぞれ刃体５の支持部２２から延びる付根部２４ａ，２５ａを経てその延設方向Ｘで互いに離間する上向き及び下向きへ延びる上下両腕部２４，２５を有し、支持部２２に対する相対向側で互いに連続して閉じられている。上下両腕部２４，２５は前記延設方向Ｘにおいて互いに離間する上向き及び下向きへ膨らむ湾曲部２６，２７を有している。上下両腕部２４，２５の湾曲部２６，２７の頂上部２６ａ，２７ａ間で刃体５の支持部２２の延設方向Ｘに沿う最大間隔Ｌ２３は、その支持部２２の上端部と下端部との間の延設方向間隔Ｌ２２より大きく設定されている。支持部２２の突条部１６はその支持部２２から延びる上側の腕部２４の付根部２４ａにくい込んで埋設されている。突条部１６を有しない下側の腕部２５において支持部２２の下端部から湾曲部２７の頂上部２７ａまでの距離は、突条部１６を有する上側の腕部２４において突条部１６から湾曲部２６の頂上部２６ａまでの距離よりも大きく設定される。上下両腕部２４，２５において回動中心線２ａの方向の厚みは、支持部２２から離間するに従って細くなり、支持部２２に対する対向側で最小となっている。支持部２２の表部２１及び指掛部２３の上下両腕部２４，２５には多数の小凹部２３ａが滑止めとして配設されている。刃体５の取付部９で露出部１３の壁面１５は上側の腕部２４に対し間隔をあけて面し、壁面１５と上側の腕部２４との間には撓み許容間隙２８が形成されている。撓み許容間隙２８を挟んで相対向する壁面１５と腕部２４とでは互いに色が異なっているとともに、硬質樹脂で成形された取付部９の露出部１３と軟質樹脂により成形された指掛部２３も互いに色が異なっている。
【００２９】
他方の刀身４において刃体６の取付部１０の露出部１７及び連結部１８と環部１９とには、前記指掛部２３と同一の軟質樹脂により成形された指掛部２９がハンドル１２の一部として取着されている。指掛部２９は硬質樹脂からなる環部１９に沿って環状に形成され、指掛部２９の外周の下側部分から上側部分付近にわたり環部１９が露出しているとともに、環部１９が露出していない指掛部２９の内周全体で指が軟質樹脂に接触し得るため、指の感触が良なる。例えば、指掛部２９の内周の上側部分に人差し指が当てがわれる。
【００３０】
図２に示すように、一方の刀身３の刃部７の表側には複数の模様部３０ａと複数の非模様部３０ｂとが刃部７の長手方向へ先端側から基端側にわたり１０ｍｍずつの等間隔で並設されている。それらを目盛として利用する際、切断時に切断する長さを確認するための目安として使用することができる。
【００３１】
図１に示すケース３１において、表裏両側には出入口３２から連続して切欠部３３が形成されているとともに、表側には窓３４が形成され、出入口３２から両刀身３，４の刃部７，８が収容された際には開閉中心部２が切欠部３３に係止されるとともに窓３４から模様部３０ａ及び非模様部３０ｂの一部が見える。また、ケース３１の表裏両側には先端部から出入口３２にわたり複数の凹筋３５が１０ｍｍずつの等間隔の目盛として並設されている。その目盛は、定規の代用として使用することもできる。
【００３２】
一方の刀身３のハンドル１１における指掛部２３に例えば親指を挿入するとともに他方の刀身４のハンドル１２における指掛部２９に他の指を挿入して両刀身３，４を互いに開閉動作させると、刃体５の支持部２２よりも柔軟な指掛部２３は、開閉中心部２の回動中心線２ａに沿った方向やその回動中心線２ａに対し直交する方向に撓み易くなる。例えば、その回動中心線２ａに沿った方向の両側向きＡ，Ｂのうち、上側の腕部２４が一方の向きＡ側へ撓み得るとともに、下側の腕部２５が他方の向きＢ側へ撓み得る。また、指掛部２３の上下両腕部２４，２５は、その回動中心線２ａに対し直交する方向を含む面に沿って撓み得る。
【００３３】
本実施形態は下記の効果を有する。
（１）  一方の刀身３のハンドル１１において、上下両腕部２４，２５を有する指掛部２３は、軟質樹脂により刃体５の支持部２２よりも撓み易い形態に成形されているので、開閉中心部２の回動中心線２ａに沿った方向やその回動中心線２ａに対し直交する方向に撓み易くなり、指掛部２３に挿入した親指の動きに追従するように指掛部２３が撓み得る。特に、その回動中心線２ａに沿った方向の両側向きＡ，Ｂのうち、上側の腕部２４が一方の向きＡ側へ撓むとともに、下側の腕部２５が他方の向きＢ側へ撓んで、両腕部２４，２５が指の捻り動作にも追従して変形し易くなる。その際、上側の腕部２４側に隣接して撓み許容間隙２８が形成されているため、上側の腕部２４が一方の向きＡ側へより撓み易くなる。また、突条部１６を有しない下側の腕部２５は突条部１６を有する上側の腕部２４よりも撓み易くなる。さらに、軟質樹脂により成形されて撓み易い指掛部２３に滑止めとして小凹部２３ａが形成されているので、指の滑りを生じさせることなく指掛部２３を容易に撓ませることができる。従って、ハンドル１１の指掛部２３に指を掛けて使用した際に使い勝手を良くすることができる。
【００３４】
（２）  一方の刀身３のハンドル１１において、硬質樹脂からなる連結部１４を内側に有する支持部２２は、軟質樹脂のみにより成形された指掛部２３よりも撓みにくい。従って、親指を挿入した指掛部２３が撓み易くなっても、指掛部２３よりも撓みにくい支持部２２により指を支えるので、両刀身３，４の開閉動作が安定する。従って、ハンドル１１の指掛部２３に親指を掛けて使用した際に使い勝手を良くすることができる。
【００３５】
（３）  他方の刀身４のハンドル１２において、硬質樹脂からなる環部１９に沿って軟質樹脂により環状に成形された指掛部２９は、一方の刀身３において軟質樹脂のみにより成形された指掛部２３よりも撓みにくい。従って、例えば、その指掛部２３に親指を挿入し、指掛部２９の内周に中指と薬指と小指とを挿入するとともに指掛部２９の外周に人差し指を当てて使用する際に、指掛部２３が親指の動きに追従するように撓んでも、柔軟な指掛部２３と指掛部２３よりも撓みにくい指掛部２９との組合せにより、指全体の動きが安定して使い勝手を良くすることができる。
【００３６】
前記実施形態以外にも例えば下記のように構成してもよい。
・  前記実施形態では、一方の刀身３の刃体５において刃部７の延設部７ｂに取付部９を取着するとともに、取付部９の連結部１４を表部２１で被覆した支持部２２から指掛部２３を延設したが、取付部９を省略して刃部７の延設部７ｂの一部を支持部とし、その支持部から指掛部を延設してもよい。
【００３７】
・  前記実施形態では一方の刀身３のハンドル１１のみに撓み易い指掛部２３を設けたが、両刀身３，４のハンドル１１，１２共に撓み易い指掛部２３を設けてもよい。その際、両刀身３，４のハンドル１１，１２を同一形態で対称にしてもよい。
【００３８】
・  前記実施形態で例示した鋏については、文具鋏として使用することができるが、前記実施形態と同様なハンドルを採用して、他の用途の鋏、例えばラシャ鋏やキッチン鋏などとしても使用することができる。
【００３９】
・  前記実施形態では、一方の刀身３の指掛部２３において、刃体５の支持部２２の上下両側から上側と下側とへそれぞれ互いに離間するように延びる付根部２４ａ，２５ａを経て上向き及び下向きへ互いに離間するように延びる上下両腕部２４，２５を有している。そのほか、互いに接近するように延びる両付根部や、互いに平行に延びる両付根部を経て、上向き及び下向きへ互いに離間するように延びる上下両腕部としてもよい。
【００４０】
・  前記実施形態では、両刀身３，４のハンドル１１，１２を互いに閉じた際に当接し得る当接部１３ａ，１７ａがいずれも硬質樹脂により成形されているが、両ハンドル１１，１２を構成する硬質樹脂や軟質樹脂を利用して、一方を硬質樹脂により成形するとともに他方を軟質樹脂により成形したり、両方共に軟質樹脂により成形して、両ハンドル１１，１２を互いに閉じた際の衝撃を和らげてもよい。
【００４１】
・  前記実施形態では、一方の刀身３の指掛部２３において、回動中心線２ａに沿った方向の両側向きＡ，Ｂのうち、上側の腕部２４が一方の向きＡ側へ撓むとともに、下側の腕部２５が他方の向きＢ側へ撓んで、両腕部２４，２５が指の捻り動作に追従して変形し得るが、両腕部２４，２５が共に一方の向きＡ側へ撓んだり他方の向きＢ側へ撓んだりすることもできる。
【００４２】
・  前記実施形態では、一方の刀身３の指掛部２３において、両腕部２４，２５が回動中心線２ａに対し直交する方向を含む面に沿って撓み得る。その撓み方向としては、支持部２２の延設方向Ｘを例示することができるが、その延設方向Ｘ以外でこの面に沿うすべての方向に撓み得る。
【００４３】
・  前記実施形態では、一方の刀身３の指掛部２３が完全な環状に成形されているが、その指掛部の一部を切り離してもよい。
・  前記実施形態では、一方の刀身３の指掛部２３の全体が軟質樹脂により成形されているが、その指掛部と異なる材料、例えば金属や硬質樹脂などにより、指掛部の一部を成形して、指掛部の外観や感触に変化を与えてもよい。
【００４４】
・  前記実施形態では、一方の刀身３の指掛部２３が中実軸状に成形されているが、その指掛部を中空軸状に成形してもよく、その中空部に空気や液体やゲルなどを入れてもよい。
【００４５】
・  前記実施形態では、支持部２２の表部２１及び指掛部２３に多数の小凹部２３ａが滑止めとして配設されているが、その小凹部２３ａ以外に、例えば突起や突条を滑止めとして配設してもよい。また、それらの滑止めの外形状としては、円形に限らず、三角形や四角形や楕円形や星形やハート形など、他の幾何学形状であってもよい。
【符号の説明】
【００４６】
３，４…刀身、５，６…刃体、１１，１２…ハンドル、２２…支持部、２３…ハンドルの指掛部、２４，２５…指掛部の腕部、２４ａ，２５ａ…腕部の付根部、Ｘ…延設方向、Ｌ２２…支持部の延設方向間隔、Ｌ２３…腕部の最大間隔。
【図１】
2012085961.tif 000003
【図２】
2012085961.tif 000004
【図３】
2012085961.tif 000005
【図４】
2012085961.tif 000006